【手続補正書】
【提出日】平成28年9月1日(2016.9.1)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、前記方法は、
ビデオデータの現在ピクチャのピクチャ順序カウント（ＰＯＣ）値のベース最上位ビット（ＭＳＢ）値と前記ビデオデータの第１の長期参照ピクチャの第１のＰＯＣ値の第１のＭＳＢ値との間の差を表す第１の値を復号することと、
前記ビデオデータの第２の長期参照ピクチャの第２のＰＯＣ値の第２のＭＳＢ値と前記第１のＭＳＢ値との間の差を表す第２の値を復号することと、ここにおいて、前記第１のＰＯＣ値と前記第２のＰＯＣ値が異なる最下位ビット（ＬＳＢ）値を有し、前記第１のＭＳＢ値は、前記第２のＭＳＢ値とは異なる、
前記第１の値を使用した前記第１の長期参照ピクチャ、または前記第１の値と前記第２の値とを使用した前記第２の長期参照ピクチャとのうちの少なくとも１つに対する前記ビデオデータの現在ピクチャの少なくとも一部分を復号することとを備える、方法。
【請求項２】
前記第１の値を使用して、前記第１の長期参照ピクチャのための第１のＭＳＢサイクル値をＤｅｌｔａＰｏｃＭＳＢＣｙｃｌｅＬｔとして計算することと、
前記第２の長期参照ピクチャのための第２のＭＳＢサイクル値をＤｅｌｔａＰｏｃＭＳＢＣｙｃｌｅＬｔとして計算することと、ここにおいて、前記第２のＭＳＢサイクル値を計算することが、ＤｅｌｔａＰｏｃＭＳＢＣｙｃｌｅＬｔと前記第２の値とに基づいてＤｅｌｔａＰｏｃＭＳＢＣｙｃｌｅＬｔを計算することを備える、をさらに備える、請求項１に記載の方法。
【請求項３】
前記第１の長期参照ピクチャがｊのインデックスに対応し、ここにおいて、前記第２の長期参照ピクチャがｉのインデックスに対応し、ここにおいて、前記第１の値がｄｅｌｔａ＿ｐｏｃ＿ｍｓｂ＿ｃｙｃｌｅ＿ｌｔ＿ｐｌｕｓ１を備え、ここにおいて、前記第２の値がｄｅｌｔａ＿ｐｏｃ＿ｍｓｂ＿ｃｙｃｌｅ＿ｌｔ＿ｐｌｕｓ１を備え、ここにおいて、ｊが、両端値を含む０からｉ−１までの範囲内である、請求項１に記載の方法。
【請求項４】
前記第１の値または前記第２の値のうちの少なくとも１つが負整数値を備える、請求項１に記載の方法。
【請求項５】
前記現在ピクチャのための短期参照ピクチャとしてマークされた参照ピクチャの数に少なくとも部分的に基づいて前記第１のＰＯＣ値または前記第２のＰＯＣ値のうちの少なくとも１つを判断することをさらに備える、請求項１に記載の方法。
【請求項６】
ビデオデータを復号するためのデバイスであって、前記デバイスは、
ビデオデータを記憶するように構成されたメモリと、
前記ビデオデータの現在ピクチャのピクチャ順序カウント（ＰＯＣ）値のベース最上位ビット（ＭＳＢ）値と前記ビデオデータの第１の長期参照ピクチャの第１のＰＯＣ値の第１のＭＳＢ値との間の差を表す第１の値を復号することと、
前記ビデオデータの第２の長期参照ピクチャの第２のＰＯＣ値の第２のＭＳＢ値と前記第１のＭＳＢ値との間の差を表す第２の値を復号することと、ここにおいて、前記第１のＰＯＣ値と前記第２のＰＯＣ値が異なる最下位ビット（ＬＳＢ）値を有し、前記第１のＭＳＢ値は、前記第２のＭＳＢ値とは異なる、
前記第１の値を使用した前記第１の長期参照ピクチャ、または前記第１の値と前記第２の値とを使用した前記第２の長期参照ピクチャとのうちの少なくとも１つに対する前記ビデオデータの現在ピクチャの少なくとも一部分を復号することと、
を行うように構成されたビデオデコーダと、を備える、デバイス。
【請求項７】
前記ビデオデコーダは、前記第１の値を使用して、前記第１の長期参照ピクチャのための第１のＭＳＢサイクル値をＤｅｌｔａＰｏｃＭＳＢＣｙｃｌｅＬｔ［ｉ−１］として計算することと、前記第２の長期参照ピクチャのための第２のＭＳＢサイクル値をＤｅｌｔａＰｏｃＭＳＢＣｙｃｌｅＬｔとして計算することと、ここにおいて、前記第２のＭＳＢサイクル値を計算することが、ＤｅｌｔａＰｏｃＭＳＢＣｙｃｌｅＬｔと前記第２の値とに基づいてＤｅｌｔａＰｏｃＭＳＢＣｙｃｌｅＬｔを計算することを備える、を行うようにさらに構成された、請求項６に記載のデバイス。
【請求項８】
前記第１の長期参照ピクチャがｉ−１のインデックスに対応し、ここにおいて、前記第２の長期参照ピクチャがｉのインデックスに対応し、ここにおいて、前記第１の値がｄｅｌｔａ＿ｐｏｃ＿ｍｓｂ＿ｃｙｃｌｅ＿ｌｔ＿ｐｌｕｓ１を備え、ここにおいて、前記第２の値がｄｅｌｔａ＿ｐｏｃ＿ｍｓｂ＿ｃｙｃｌｅ＿ｌｔ＿ｐｌｕｓ１を備える、請求項６に記載のデバイス。
【請求項９】
前記第１の値または前記第２の値のうちの少なくとも１つが負整数値を備える、請求項６に記載のデバイス。
【請求項１０】
前記ビデオデコーダが、前記現在ピクチャのための短期参照ピクチャとしてマークされた参照ピクチャの数に少なくとも部分的に基づいて前記第１のＰＯＣ値または前記第２のＰＯＣ値のうちの少なくとも１つを判断するようにさらに構成された、請求項６に記載のデバイス。
【請求項１１】
ビデオデータを復号するためのデバイスであって、前記デバイスは、
ビデオデータの現在ピクチャのピクチャ順序カウント（ＰＯＣ）値のベース最上位ビット（ＭＳＢ）値と前記ビデオデータの第１の長期参照ピクチャの第１のＰＯＣ値の第１のＭＳＢ値との間の差を表す第１の値を復号するための手段と、
前記ビデオデータの第２の長期参照ピクチャの第２のＰＯＣ値の第２のＭＳＢ値と前記第１のＭＳＢ値との間の差を表す第２の値を復号するための手段と、ここにおいて、前記第１のＰＯＣ値と前記第２のＰＯＣ値が異なる最下位ビット（ＬＳＢ）値を有し、前記第１のＭＳＢ値は、前記第２のＭＳＢ値とは異なる、
前記第１の値を使用した前記第１の長期参照ピクチャ、または前記第１の値と前記第２の値とを使用した前記第２の長期参照ピクチャとのうちの少なくとも１つに対する前記ビデオデータの現在ピクチャの少なくとも一部分を復号するための手段とを備える、デバイス。
【請求項１２】
前記第１の値を使用して、前記第１の長期参照ピクチャのための第１のＭＳＢサイクル値をＤｅｌｔａＰｏｃＭＳＢＣｙｃｌｅＬｔとして計算するための手段と、
前記第２の長期参照ピクチャのための第２のＭＳＢサイクル値をＤｅｌｔａＰｏｃＭＳＢＣｙｃｌｅＬｔとして計算するための手段と、ここにおいて、前記第２のＭＳＢサイクル値を計算することが、ＤｅｌｔａＰｏｃＭＳＢＣｙｃｌｅＬｔと前記第２の値とに基づいてＤｅｌｔａＰｏｃＭＳＢＣｙｃｌｅＬｔを計算することを備える、をさらに備える、請求項１１に記載のデバイス。
【請求項１３】
前記第１の長期参照ピクチャがｊのインデックスに対応し、ここにおいて、前記第２の長期参照ピクチャがｉのインデックスに対応し、ここにおいて、前記第１の値がｄｅｌｔａ＿ｐｏｃ＿ｍｓｂ＿ｃｙｃｌｅ＿ｌｔ＿ｐｌｕｓ１を備え、ここにおいて、前記第２の値がｄｅｌｔａ＿ｐｏｃ＿ｍｓｂ＿ｃｙｃｌｅ＿ｌｔ＿ｐｌｕｓ１を備え、ここにおいて、ｊが、両端値を含む０からｉ−１までの範囲内である、請求項１１に記載のデバイス。
【請求項１４】
前記第１の値または前記第２の値のうちの少なくとも１つが負整数値を備える、請求項１１に記載のデバイス。
【請求項１５】
前記現在ピクチャのための短期参照ピクチャとしてマークされた参照ピクチャの数に少なくとも部分的に基づいて前記第１のＰＯＣ値または前記第２のＰＯＣ値のうちの少なくとも１つを判断するための手段をさらに備える、請求項１１に記載のデバイス。
【請求項１６】
実行されたとき、
ビデオデータの現在ピクチャのピクチャ順序カウント（ＰＯＣ）値のベース最上位ビット（ＭＳＢ）値と前記ビデオデータの第１の長期参照ピクチャの第１のＰＯＣ値の第１のＭＳＢ値との間の差を表す第１の値を復号することと、
前記ビデオデータの第２の長期参照ピクチャの第２のＰＯＣ値の第２のＭＳＢ値と前記第１のＭＳＢ値との間の差を表す第２の値を復号することと、ここにおいて、前記第１のＰＯＣ値と前記第２のＰＯＣ値が異なる最下位ビット（ＬＳＢ）値を有し、前記第１のＭＳＢ値は、前記第２のＭＳＢ値とは異なる、
前記第１の値を使用した前記第１の長期参照ピクチャ、または前記第１の値と前記第２の値とを使用した前記第２の長期参照ピクチャとのうちの少なくとも１つに対する前記ビデオデータの現在ピクチャの少なくとも一部分を復号することとをプロセッサに行わせる命令を記憶した非一時的コンピュータ可読記憶媒体。
【請求項１７】
前記第１の値を使用して、前記第１の長期参照ピクチャのための第１のＭＳＢサイクル値をＤｅｌｔａＰｏｃＭＳＢＣｙｃｌｅＬｔとして計算することと、
前記第２の長期参照ピクチャのための第２のＭＳＢサイクル値をＤｅｌｔａＰｏｃＭＳＢＣｙｃｌｅＬｔとして計算することと、ここにおいて、前記第２のＭＳＢサイクル値を計算することが、ＤｅｌｔａＰｏｃＭＳＢＣｙｃｌｅＬｔと前記第２の値とに基づいてＤｅｌｔａＰｏｃＭＳＢＣｙｃｌｅＬｔを計算することを備える、を前記プロセッサに行わせる命令をさらに備える、請求項１６に記載の非一時的コンピュータ可読記憶媒体。
【請求項１８】
前記第１の長期参照ピクチャがｊのインデックスに対応し、ここにおいて、前記第２の長期参照ピクチャがｉのインデックスに対応し、ここにおいて、前記第１の値がｄｅｌｔａ＿ｐｏｃ＿ｍｓｂ＿ｃｙｃｌｅ＿ｌｔ＿ｐｌｕｓ１を備え、ここにおいて、前記第２の値がｄｅｌｔａ＿ｐｏｃ＿ｍｓｂ＿ｃｙｃｌｅ＿ｌｔ＿ｐｌｕｓ１を備え、ここにおいて、ｊが、両端値を含む０からｉ−１までの範囲内である、請求項１６に記載の非一時的コンピュータ可読記憶媒体。
【請求項１９】
前記第１の値または前記第２の値のうちの少なくとも１つが負整数値を備える、請求項１６に記載の非一時的コンピュータ可読記憶媒体。
【請求項２０】
前記現在ピクチャのための短期参照ピクチャとしてマークされた参照ピクチャの数に少なくとも部分的に基づいて前記第１のＰＯＣ値または前記第２のＰＯＣ値のうちの少なくとも１つを判断することを前記プロセッサに行わせる命令をさらに備える、請求項１６に記載の非一時的コンピュータ可読記憶媒体。
【請求項２１】
ビデオデータを符号化する方法であって、前記方法は、
第１の長期参照ピクチャに対するビデオデータの現在ピクチャの少なくとも第１の部分と第２の長期参照ピクチャに対する前記現在ピクチャの少なくとも第２の部分とを符号化することと、
前記ビデオデータの現在ピクチャのピクチャ順序カウント（ＰＯＣ）値のベース最上位ビット（ＭＳＢ）値と前記ビデオデータの前記第１の長期参照ピクチャの第１のＰＯＣ値の第１のＭＳＢ値との間の差を表す第１の値を符号化することと、
前記ビデオデータの前記第２の長期参照ピクチャの第２のＰＯＣ値の第２のＭＳＢ値と前記第１のＭＳＢ値との間の差を表す第２の値を符号化することと、ここにおいて、前記第１のＰＯＣ値と前記第２のＰＯＣ値が異なる最下位ビット（ＬＳＢ）値を有し、前記第１のＭＳＢ値は、前記第２のＭＳＢ値とは異なる、を備える、方法。
【請求項２２】
前記第１の値を、ＤｅｌｔａＰｏｃＭＳＢＣｙｃｌｅＬｔとしての前記第１の長期参照ピクチャのための第１のＭＳＢサイクル値と前記ベースＭＳＢ値との間の差として計算することと、
前記第２の値を、ＤｅｌｔａＰｏｃＭＳＢＣｙｃｌｅＬｔとしての前記第２の長期参照ピクチャのための第２のＭＳＢサイクル値と前記第１のＭＳＢ値との間の差として計算することとをさらに備える、請求項２１に記載の方法。
【請求項２３】
前記第１の長期参照ピクチャがｊのインデックスに対応し、ここにおいて、前記第２の長期参照ピクチャがｉのインデックスに対応し、ここにおいて、前記第１の値がｄｅｌｔａ＿ｐｏｃ＿ｍｓｂ＿ｃｙｃｌｅ＿ｌｔ＿ｐｌｕｓ１を備え、ここにおいて、前記第２の値がｄｅｌｔａ＿ｐｏｃ＿ｍｓｂ＿ｃｙｃｌｅ＿ｌｔ＿ｐｌｕｓ１を備え、ここにおいて、ｊが、両端値を含む０からｉ−１までの範囲内である、請求項２１に記載の方法。
【請求項２４】
前記第１の値または前記第２の値のうちの少なくとも１つが負整数値を備える、請求項２１に記載の方法。
【請求項２５】
前記第１の値を符号化することと、前記第２の値を符号化することとが、前記現在ピクチャのための短期参照ピクチャとしてマークされた参照ピクチャの数に少なくとも部分的に基づいて前記第１の値を符号化することと、前記第２の値を符号化することとを備える、請求項２１に記載の方法。
【請求項２６】
ビデオデータを符号化するためのデバイスであって、前記デバイスは、
ビデオデータを記憶するように構成されたメモリと、
第１の長期参照ピクチャに対する前記ビデオデータの現在ピクチャの少なくとも第１の部分と第２の長期参照ピクチャに対する前記現在ピクチャの少なくとも第２の部分とを符号化することと、
前記ビデオデータの現在ピクチャのピクチャ順序カウント（ＰＯＣ）値のベース最上位ビット（ＭＳＢ）値と前記ビデオデータの前記第１の長期参照ピクチャの第１のＰＯＣ値の第１のＭＳＢ値との間の差を表す第１の値を符号化することと、
前記ビデオデータの前記第２の長期参照ピクチャの第２のＰＯＣ値の第２のＭＳＢ値と前記第１のＭＳＢ値との間の差を表す第２の値を符号化することと、ここにおいて、前記第１のＰＯＣ値と前記第２のＰＯＣ値が異なる最下位ビット（ＬＳＢ）値を有し、前記第１のＭＳＢ値は、前記第２のＭＳＢ値とは異なる、
を行うように構成されたビデオエンコーダと、を備える、デバイス。
【請求項２７】
前記ビデオエンコーダが、前記第１の値を、ＤｅｌｔａＰｏｃＭＳＢＣｙｃｌｅＬｔとしての前記第１の長期参照ピクチャのための第１のＭＳＢサイクル値と前記ベースＭＳＢ値との間の差として計算することと、前記第２の値を、ＤｅｌｔａＰｏｃＭＳＢＣｙｃｌｅＬｔとしての前記第２の長期参照ピクチャのための第２のＭＳＢサイクル値と前記第１のＭＳＢ値との間の差として計算することとを行うように構成された、請求項２６に記載のデバイス。
【請求項２８】
前記第１の長期参照ピクチャがｊのインデックスに対応し、ここにおいて、前記第２の長期参照ピクチャがｉのインデックスに対応し、ここにおいて、前記第１の値がｄｅｌｔａ＿ｐｏｃ＿ｍｓｂ＿ｃｙｃｌｅ＿ｌｔ＿ｐｌｕｓ１を備え、ここにおいて、前記第２の値がｄｅｌｔａ＿ｐｏｃ＿ｍｓｂ＿ｃｙｃｌｅ＿ｌｔ＿ｐｌｕｓ１を備え、ここにおいて、ｊが、両端値を含む０からｉ−１までの範囲内である、請求項２６に記載のデバイス。
【請求項２９】
前記第１の値または前記第２の値のうちの少なくとも１つが負整数値を備える、請求項２６に記載のデバイス。
【請求項３０】
前記第１の値と前記第２の値とを符号化するために、前記ビデオエンコーダが、前記現在ピクチャのための短期参照ピクチャとしてマークされた参照ピクチャの数に少なくとも部分的に基づいて前記第１の値と前記第２の値とを符号化するように構成された、請求項２６に記載のデバイス。